(57)【特許請求の範囲】
【請求項１】
第１および第２の同期イーサネット「ＳｙｎｃＥ」ドメインの間でイーサネット同期メッセージングチャネル「ＥＳＭＣ」メッセージを伝送する方法であって、前記第１および第２のドメインは第３の同期光ネットワークまたは同期デジタルハイアラーキ「ＳＯＮＥＴ／ＳＤＨ」ドメインによって相互接続され、前記イーサネット同期メッセージングチャネル「ＥＳＭＣ」メッセージの少なくとも一部は、前記第３のドメインに入るときにカプセル化され、前記第３のドメインから出るときにカプセル化解除され、それによりその第３の同期光ネットワーク／同期デジタルハイアラーキ「ＳＯＮＥＴ／ＳＤＨ」ドメインを通るネットワークトンネルを生成する、方法。
【請求項２】
前記メッセージが、品質レベル「ＱＬ−ＴＬＶ」フィールドとは異なる少なくとも１つのタイプ−長さ−値「ＴＬＶ」フィールドを含む、請求項１に記載のイーサネット同期メッセージングチャネル「ＥＳＭＣ」メッセージを伝送する方法。
【請求項３】
メッセージのカプセル化およびカプセル化解除が、様々なドメインのインターフェースにある同期イーサネット−同期光ネットワーク／同期デジタルハイアラーキ「ＳｙｎｃＥ−ＳＯＮＥＴ／ＳＤＨ」ハイブリッドノード内で行われる、請求項１から２のいずれか一項に記載のイーサネット同期メッセージングチャネル「ＥＳＭＣ」メッセージを伝送する方法。
【請求項４】
同期イーサネット−同期光ネットワーク／同期デジタルハイアラーキ「ＳｙｎｃＥ−ＳＯＮＥＴ／ＳＤＨ」ハイブリッドノードが、
第一に、異なるルートをとって、異なるソース境界ハイブリッドノードから到来した少なくとも２つの互いに異なる同期信号を受け取り、
第二に、前記少なくとも２つの同期信号に対応し、異なるトンネルから到来した少なくとも２つの異なるイーサネット同期メッセージングチャネル「ＥＳＭＣ」メッセージを受け取り、
前記少なくとも２つのメッセージが、異なるイーサネット同期メッセージングチャネル「ＥＳＭＣ」メッセージを区別することを可能にする追加のタイプ−長さ−値「ＴＬＶ」フィールドを含む、
請求項３に記載のイーサネット同期メッセージングチャネル「ＥＳＭＣ」メッセージを伝送する方法。
【請求項５】
同期光ネットワーク／同期デジタルハイアラーキ「ＳＯＮＥＴ／ＳＤＨ」ノードが、異なるルートをとって、異なるソース境界ハイブリッドノードから到来した少なくとも２つの異なる同期信号を受け取り、同期管理システムによって供給された優先順位リストに基づいて、分配すべき主同期信号を選択し、
主同期信号が品質低下し、主同期信号が再選択された場合は、新しく選択された主同期信号の識別情報を含むメッセージが同期管理システムに送信され、
次いで前記同期管理システムが、宛先同期イーサネット−同期光ネットワーク／同期デジタルハイアラーキ「ＳｙｎｃＥ−ＳＯＮＥＴ／ＳＤＨ」ハイブリッドノードに、宛先境界ハイブリッドノードが、選択された主同期信号に関連するイーサネット同期メッセージングチャネル「ＥＳＭＣ」メッセージをカプセル化するトンネルを考慮することを可能にするために、選択された同期信号に対応する同期供給源の識別情報を送信する、
請求項３に記載のイーサネット同期メッセージングチャネル「ＥＳＭＣ」メッセージを伝送する方法。
【請求項６】
少なくとも１つの追加のタイプ−長さ−値「ＴＬＶ」フィールドが、周波数源によって供給される周波数の安定度レベルを示す、請求項２から５のいずれか一項に記載のイーサネット同期メッセージングチャネル「ＥＳＭＣ」メッセージを伝送する方法。
【請求項７】
少なくとも１つの追加のタイプ−長さ−値「ＴＬＶ」フィールドが、前記メッセージがそのソースノードから通過したノードの数を示す、請求項２から６のいずれか一項に記載のイーサネット同期メッセージングチャネル「ＥＳＭＣ」メッセージを伝送する方法。
【請求項８】
少なくとも１つの追加のタイプ−長さ−値「ＴＬＶ」フィールドが、前記メッセージが通過したノードの識別情報を含む、請求項２から７のいずれか一項に記載のイーサネット同期メッセージングチャネル「ＥＳＭＣ」メッセージを伝送する方法。
【請求項９】
同期光ネットワーク／同期デジタルハイアラーキ「ＳＯＮＥＴ／ＳＤＨ」ドメインのイーサネット同期メッセージングチャネル「ＥＳＭＣ」に関連するトンネルが、同期信号と同じルートに従う、請求項１から８のいずれか一項に記載のイーサネット同期メッセージングチャネル「ＥＳＭＣ」を伝送する方法。
【請求項１０】
同期光ネットワーク／同期デジタルハイアラーキ「ＳＯＮＥＴ／ＳＤＨ」ドメインのイーサネット同期メッセージングチャネル「ＥＳＭＣ」に関連するトンネルが、同期信号とは異なるルートに従う、請求項１から９のいずれか一項に記載のイーサネット同期メッセージングチャネル「ＥＳＭＣ」を伝送する方法。
【請求項１１】
「ＱＬ−ＴＬＶ」として知られる品質レベルフィールドとは異なる少なくとも１つのタイプ−長さ−値「ＴＬＶ」フィールドを有するイーサネット同期メッセージングチャネル「ＥＳＭＣ」メッセージをカプセル化する手段を備えた、同期イーサネット−同期光ネットワーク／同期デジタルハイアラーキ「ＳｙｎｃＥ−ＳＯＮＥＴ／ＳＤＨ」ハイブリッドノード。
【請求項１２】
同期光ネットワーク／同期デジタルハイアラーキ「ＳＯＮＥＴ／ＳＤＨ」ドメインを通って伝送するようにカプセル化された、品質レベル「ＱＬ−ＴＬＶ」フィールドとは異なる少なくとも１つのタイプ−長さ−値「ＴＬＶ」フィールドを含む、少なくとも１つのイーサネット同期メッセージングチャネル「ＥＳＭＣ」メッセージを受け取ることができる受信手段と、
前記メッセージをカプセル化解除する手段、およびタイプ−長さ−値「ＴＬＶ」フィールドを読み出す手段と
を備える、同期イーサネット−同期光ネットワーク／同期デジタルハイアラーキ「ＳｙｎｃＥ−ＳＤＨ／ＳＯＮＥＴ」ハイブリッドノード。
【請求項１３】
同期イーサネット「ＳｙｎｃＥ」ドメインを対象とする同期信号を受け取る手段と、
同期管理システムによって供給される優先順位リストに基づいて、またはＳＯＮＥＴ／ＳＤＨフレームに含まれた品質レベル「ＱＬ」値に基づいて、優先順位リストおよび利用可能な同期信号品質レベル「ＱＬ」の両方によって定義される主同期信号が品質低下した場合に前記同期信号を選択する手段と、
初期の主同期信号に障害を生じた場合に、前記同期管理システムに、同期イーサネット「ＳｙｎｃＥ」ドメインに伝送される新しい主同期信号に関連付けられた物理ポートを識別する情報を示す警報メッセージを送信する手段と
を備える、同期光ネットワーク／同期デジタルハイアラーキ「ＳＤＨ／ＳＯＮＥＴ」ノード。
【請求項１４】
第１の同期イーサネット「ＳｙｎｃＥ」ドメインから第２の同期イーサネット「ＳｙｎｃＥ」ドメインへ第３の同期光ネットワーク／同期デジタルハイアラーキ「ＳＯＮＥＴ／ＳＤＨ」ドメインを通して分配することを目的とした同期信号の優先順位リストを生成し構成する手段と、
前記リストを前記同期光ネットワーク／同期デジタルハイアラーキ「ＳＯＮＥＴ／ＳＤＨ」ドメインのノードに送信する手段と、
ＳＯＮＥＴ／ＳＤＨドメインのノードから発行された、新しく選択された主同期信号に関連付けられた新しいポートの識別情報を示す、警報メッセージを受け取る手段と、
新しい主同期信号に関連付けられた新しいポートの識別情報と、新しい主信号に関連付けられたイーサネット同期メッセージングチャネル「ＥＳＭＣ」メッセージをカプセル化したトンネルとの間の相互の関連付けを行う手段と、
第２および第３のドメインのインターフェースにある宛先同期イーサネット−同期光ネットワーク／同期デジタルハイアラーキ「ＳｙｎｃＥ−ＳＯＮＥＴ／ＳＤＨ」ハイブリッドノードに、考慮されるべきイーサネット同期メッセージングチャネル「ＥＳＭＣ」メッセージをカプセル化したトンネルの識別情報を示すメッセージを送信する手段と
を備える、同期管理システム。
【発明の詳細な説明】
【技術分野】
【０００１】
本発明は、通信ネットワークのドメインに関し、より詳細には同期光ネットワーク／同期デジタルハイアラーキ（ＳＯＮＥＴ／ＳＤＨ）ドメインを通したイーサネット（登録商標）同期メッセージングチャネル（ＥＳＭＣ）メッセージによって運ばれる情報の伝送に関する。
【背景技術】
【０００２】
これはＳＤＨ／ＳＯＮＥＴおよび同期イーサネット（ＳｙｎｃＥ）ドメインは図１に示されるように同期周波数を物理的に分配するという観点からは互換性があるためであり、図１では、ＳＤＨ／ＳＯＮＥＴノードＳおよび同期ユニット（同期供給ユニット（Ｓｙｎｃｈｒｏｎｉｚａｔｉｏｎ  Ｓｕｐｐｌｙ  Ｕｎｉｔ））ＳＳＵを含む既存の同期チェーン内に、ＳｙｎｃＥノードＥ（図１ｂ）、またはＳＤＨ／ＳＯＮＥＴおよびＳｙｎｃＥインターフェースの両方を有するものを意味するハイブリッドノードＨ（図１ｃ）が挿入され、同期信号の分配はこれらすべてのドメインの物理レイヤによって行われる。
【０００３】
ＳＯＮＥＴ／ＳＤＨドメインでは、同期信号の品質レベル（またはＱＬ）は、物理レイヤ内でＳＯＮＥＴ／ＳＤＨフレームのヘッダ内にて運ばれる。
【０００４】
一方、ＳｙｎｃＥドメインでは、同期ステータスは、米国電気電子技術者協会（ＩＥＥＥ８０２．３）による８０２．３プロトコルで規定されるように、タイプ−長さ−値（Ｔｙｐｅ  Ｌｅｎｇｔｈ  Ｖａｌｕｅ：ＴＬＶ）構造体を含んだＥＳＭＣメッセージ（またはパケット）によって運ばれる。現時点ではこれらのＴＬＶ構造体の１つだけが、国際電気通信連合（ＩＴＵ−Ｔ）によって標準化されている。これはＳＯＮＥＴ／ＳＤＨとの互換性を保つために、同期信号の品質レベル（通常はＱＬ−ＴＬＶとして表される）を示すＴＬＶフィールドである。
【０００５】
しかしＵＩＴ−Ｔ内では、これらのＥＳＭＣメッセージの使用を最適化するためにＴＬＶ構造体を追加する提案がなされている。これらの追加のＴＬＶにより、同期を管理するために役立つ他の情報を運ぶことが可能になる。
【発明の概要】
【発明が解決しようとする課題】
【０００６】
２つのＳｙｎｃＥドメイン１が１つのＳＯＮＥＴ／ＳＤＨドメイン３によって相互接続された図２に示される構成では、追加のＴＬＶ構造体７が（すなわちＱＬ−ＴＬＶ構造体９の他のもの）あれば、ＳｙｎｃＥ−ＳＯＮＥＴ／ＳＤＨインターフェース内でフィルタされる。これはこの情報がＳＯＮＥＴ／ＳＤＨヘッダ内で定義されていないためであり、すでに構内に展開されている大量のＳＯＮＥＴ／ＳＤＨ機器に大きな影響（すなわちハードウェア変更）を与えずにこれらのヘッダのフォーマットを拡張する方法はもはや無い。
【０００７】
したがってＱＬ−ＴＬＶ９に対する追加のＴＬＶ構造体に関するデータを、ＳＤＨ／ＳＯＮＥＴドメイン３を通して伝送することを可能にする方法を提案することが必要である。
【課題を解決するための手段】
【０００８】
したがって本発明は、第１および第２の同期イーサネット「ＳｙｎｃＥ」ドメインの間でイーサネット同期メッセージングチャネル「ＥＳＭＣ」メッセージを伝送する方法であって、前記第１および第２のドメインは第３の同期光ネットワークまたは同期デジタルハイアラーキ「ＳＯＮＥＴ／ＳＤＨ」ドメインによって相互接続され、前記イーサネット同期メッセージングチャネル「ＥＳＭＣ」メッセージの少なくとも一部は、前記第３のドメインに入るときにカプセル化され、前記第３のドメインから出るときにカプセル化解除され、それによりその第３の同期光ネットワーク／同期デジタルハイアラーキ「ＳＯＮＥＴ／ＳＤＨ」ドメインを通るネットワークトンネルを生成する方法に関する。
【０００９】
本発明の他の態様によれば前記方法は、品質レベル「ＱＬ−ＴＬＶ」フィールドとは異なる少なくとも１つのタイプ−長さ−値「ＴＬＶ」フィールドを含む。
【００１０】
本発明のさらなる態様によればメッセージのカプセル化およびカプセル化解除は、様々なドメインのインターフェースにある同期イーサネット−同期光ネットワーク／同期デジタルハイアラーキ「ＳｙｎｃＥ−ＳＤＨ／ＳＯＮＥＴ」ハイブリッドノード内で行われる。
【００１１】
本発明のさらなる態様によれば、同期イーサネット−同期光ネットワーク／同期デジタルハイアラーキ「ＳｙｎｃＥ−ＳＤＨ／ＳＯＮＥＴ」ハイブリッドノードは、
第一に、異なるルートをとって、異なるソース境界ハイブリッドノードから到来した少なくとも２つの互いに異なる同期信号を受け取り、
第二に、前記少なくとも２つの同期信号に対応し、異なるトンネルから到来した少なくとも２つの異なるイーサネット同期メッセージングチャネル「ＥＳＭＣ」メッセージを受け取り、
前記少なくとも２つのメッセージは、異なるイーサネット同期メッセージングチャネル「ＥＳＭＣ」メッセージを区別することを可能にする追加のタイプ−長さ−値「ＴＬＶ」フィールドを含む。
【００１２】
本発明の他の態様によれば、同期光ネットワーク／同期デジタルハイアラーキ「ＳＯＮＥＴ／ＳＤＨ」ノードは、異なるルートをとって、異なるソース境界ハイブリッドノードから到来した少なくとも２つの異なる同期信号を受け取り、
同期管理システムによって供給された優先順位のリストに基づいて、分配する主同期信号を選択し、
主同期信号が品質低下し、主同期信号が再選択された場合は、新しく選択された主同期信号の識別情報を含むメッセージが同期管理システムに送信される。次いで前記同期管理システムは、宛先同期イーサネット−同期光ネットワーク／同期デジタルハイアラーキ「ＳｙｎｃＥ−ＳＯＮＥＴ／ＳＤＨ」ハイブリッドノードに、宛先境界ハイブリッドノードが、選択された主同期信号に関連するイーサネット同期メッセージングチャネル「ＥＳＭＣ」メッセージをカプセル化するトンネルを考慮することを可能にするために、選択された同期信号に対応する同期供給源の識別情報を送信する。
【００１３】
本発明のさらなる態様によれば、追加の少なくとも１つのタイプ−長さ−値「ＴＬＶ」フィールドは、周波数源によって供給される周波数の安定度レベルを示す。
【００１４】
本発明のさらなる態様によれば、少なくとも１つの追加のタイプ−長さ−値「ＴＬＶ」フィールドは、前記メッセージがそのソースノードから通過したノードの数を示す。
【００１５】
本発明のさらなる態様によれば、追加の少なくとも１つのタイプ−長さ−値「ＴＬＶ」フィールドは、前記メッセージが通過したノードの識別情報を含む。
【００１６】
本発明のさらなる態様によれば、同期光ネットワーク／同期デジタルハイアラーキ「ＳＯＮＥＴ／ＳＤＨ」ドメインのイーサネット同期メッセージングチャネル「ＥＳＭＣ」メッセージに関連するトンネルは、同期信号と同じルートに従う。
【００１７】
本発明のさらなる態様によれば、同期光ネットワーク／同期デジタルハイアラーキ「ＳＯＮＥＴ／ＳＤＨ」ドメインのイーサネット同期メッセージングチャネル「ＥＳＭＣ」メッセージに関連するトンネルは、同期信号とは異なるルートに従う。
【００１８】
本発明はまた、「ＱＬ−ＴＬＶ」として知られる品質レベルフィールドとは異なる少なくとも１つのタイプ−長さ−値「ＴＬＶ」フィールドを有するイーサネット同期メッセージングチャネル「ＥＳＭＣ」メッセージをカプセル化する手段を備えた、同期イーサネット−同期光ネットワーク／同期デジタルハイアラーキ「ＳｙｎｃＥ−ＳＤＨ／ＳＯＮＥＴ」ハイブリッドノードに関する。
【００１９】
本発明はまた、
−  同期光ネットワーク／同期デジタルハイアラーキ「ＳＤＨ／ＳＯＮＥＴ」ドメインを通って伝送するようにカプセル化された、品質レベル「ＱＬ−ＴＬＶ」フィールドとは異なる少なくとも１つのタイプ−長さ−値「ＴＬＶ」フィールドを含む、少なくとも１つのイーサネット同期メッセージングチャネル「ＥＳＭＣ」メッセージを受け取ることができる受信手段と、
−  前記メッセージをカプセル化解除する手段、およびタイプ−長さ−値「ＴＬＶ」フィールドを読み出す手段と
を備える、同期イーサネット−同期光ネットワーク／同期デジタルハイアラーキ「ＳｙｎｃＥ−ＳＯＮＥＴ／ＳＤＨ」ハイブリッドノードに関する。
【００２０】
本発明はまた、
−  同期イーサネット「ＳｙｎｃＥ」ドメインを対象とする同期信号を受け取る手段と、
−  同期管理システムによって供給される優先順位リストに基づいて、またはＳＯＮＥＴ／ＳＤＨフレームに含まれた品質レベル「ＱＬ」値に基づいて、優先順位リストおよび利用可能な同期信号品質レベル「ＱＬ」の両方によって定義される主同期信号が品質低下した場合に前記同期信号を選択する手段と、
−  初期の主同期信号に障害を生じた場合に、前記同期管理システムに、同期イーサネット「ＳｙｎｃＥ」ドメインに伝送される新しい主同期信号に関連付けられた物理ポートを識別する情報を示す警報メッセージを送信する手段と
を備える、同期光ネットワーク／同期デジタルハイアラーキ「ＳＯＮＥＴ／ＳＤＨ」ノードに関する。
【００２１】
本発明はまた、
−  第１の同期イーサネット「ＳｙｎｃＥ」ドメインから第２の同期イーサネット「ＳｙｎｃＥ」ドメインへ第３の同期光ネットワーク／同期デジタルハイアラーキ「ＳＯＮＥＴ／ＳＤＨ」ドメインを通して分配することを目的とした同期信号の優先順位リストを生成し構成する手段と、
−  前記リストを前記同期光ネットワーク／同期デジタルハイアラーキ「ＳＯＮＥＴ／ＳＤＨ」ドメインのノードに送信する手段と、
−  ＳＯＮＥＴ／ＳＤＨドメインのノードから発行された、新しく選択された主同期信号に関連付けられた新しいポートの識別情報を示す、警報メッセージを受け取る手段と、
−  新しい主同期信号に関連付けられた新しいポートの識別情報と、新しい主信号に関連付けられたイーサネット同期メッセージングチャネル「ＥＳＭＣ」メッセージをカプセル化したトンネルとの間の相互の関連付けを行う手段と、
−  第２および第３のドメインの接合点にある宛先同期イーサネット−同期光ネットワーク／同期デジタルハイアラーキ「ＳｙｎｃＥ−ＳＯＮＥＴ／ＳＤＨ」ハイブリッドノードに、考慮されるべきイーサネット同期メッセージングチャネル「ＥＳＭＣ」メッセージをカプセル化したトンネルの識別情報を示すメッセージを送信する手段と、
を備える、同期管理システムに関する。
【００２２】
本発明の他の特徴および利点は、非限定的な実施例として１つの可能な実施形態を表す添付の図面を参照する以下の説明から、より明らかになるであろう。
【図面の簡単な説明】
【００２３】
【図１】ＳＤＨ／ＳＯＮＥＴノードのみを含む第１のタイプ（ａ）、ＳＤＨ／ＳＯＮＥＴノードおよび同期イーサネット（ＳｙｎｃＥ）ノードを含む第２のタイプ（ｂ）、ならびにＳＤＨ／ＳＯＮＥＴノードおよびＳＤＨ／ＳＯＮＥＴ−ＳｙｎｃＥハイブリッドノードを含む第３のタイプ（ｃ）の３つのタイプの同期チェーンの概略図である。
【図２】２つのＳｙｎｃＥドメインがＳＤＨ／ＳＯＮＥＴドメインによって相互接続された同期構成を示す図である。
【図３】（それぞれのＳｙｎｃＥドメインの）２つの境界ハイブリッドノードの間で、ＳＤＨ／ＳＯＮＥＴドメインを通るネットワークトンネルの生成を示す図である。
【図４】２つのＳｙｎｃＥドメインをＳＤＨ／ＳＯＮＥＴドメインを通じて接続し、共通の宛先境界ハイブリッドノードを有する、２つのトンネルの生成を示す図である。
【図５】共通の宛先境界ハイブリッドノードを有するＳＤＨ／ＳＯＮＥＴドメインを通じて２つのＳｙｎｃＥドメインを接続し、またＳＤＨ／ＳＯＮＥＴドメイン内に共通の経路区間を有する、２つのトンネルの生成を示す図である。
【図６】一方では同期管理システムと、ＳＯＮＥＴ／ＳＤＨドメイン内にあるノードＳ１との間で、他方では同期管理システムと、ＳＯＮＥＴ／ＳＤＨドメインと第２のＳｙｎｃＥドメインのインターフェースにある宛先ハイブリッドノードとの間で、やり取りされるメッセージを示す図である。
【発明を実施するための形態】
【００２４】
以下の説明では全体的に次の通りである。
【００２５】
「ＥＳＭＣ」という用語はイーサネット同期メッセージングチャネルを表す。
【００２６】
「ＳＯＮＥＴ」という用語は同期光ネットワークを表す。
【００２７】
「ＳＤＨ」という用語は同期デジタルハイアラーキを表す。
【００２８】
「ＴＬＶ」という用語はタイプ−長さ−値を表す。
【００２９】
「ＱＬ」という用語は品質レベルを表す。
【００３０】
「ＳｙｎｃＥ」という用語は同期イーサネットを表す。
【００３１】
「カプセル化」という用語はパケットに対するカプセル化を指し、パケットは、異なるプロトコルによって管理される別のドメイン内を伝送できるように、プロトコル構造体（ヘッダ、チェックサムなどを含む）内に封入され、「カプセル化解除」という用語は逆の動作を指しその結果は最初のパケットとなる。
【００３２】
本発明の実施形態は、２つのＳｙｎｃＥドメインをＳＤＨ／ＳＯＮＥＴドメインを通じて接続するトンネル内での、ＥＳＭＣメッセージの伝送に関連する。図３に示されるように同期は、第１のＳｙｎｃＥドメインに属するソース境界ハイブリッドノード１３の物理同期信号１１によって、第２のＳｙｎｃＥドメインに属する宛先境界ハイブリッドノード１５に分配することができる。この分配は、ＳＯＮＥＴ／ＳＤＨドメインを通じて物理レイヤ内でエンドツーエンドで行うことができる。一方、ＥＳＭＣメッセージ１７は、ソース境界ハイブリッドノード１３内でカプセル化され、ＥＳＭＣメッセージに関連付けられたネットワークトンネル１９によってＳＯＮＥＴ／ＳＤＨドメイン３を通って伝送され、次いで宛先境界ハイブリッドノード１５内でカプセル化解除される。カプセル化されるのでＥＳＭＣメッセージ１７はＳＤＨ／ＳＯＮＥＴドメインをトランスペアレントに通過し、それによりＳＤＨ／ＳＯＮＥＴ−ＳｙｎｃＥインターフェースにて追加のＴＬＶフィールド７がフィルタされるのを回避することができる。
【００３３】
さらに、ＥＳＭＣメッセージに関連付けられたネットワークトンネル１９はＳＤＨ／ＳＯＮＥＴノードＳをトランスペアレントに通過するので、そのトンネルがとる経路は同期信号１１がとる経路には関連付けられないことに留意されたい。それでもなお、たとえば主信号の品質低下のために同期経路が再構成される場合に、より効果的に保護できるように、可能なときは常に、とられる経路は同じであることが推奨される。
【００３４】
品質レベル（ＱＬ）の情報は通常はＳＯＮＥＴ／ＳＤＨヘッダによって伝送されるが、追加的に他のＴＬＶ構造体を用いてカプセル化し、前述のＥＳＭＣメッセージに関連するトンネルを通してパケットレベルで伝送することができる。その場合には、ＳＤＨ／ＳＯＮＥＴドメインの物理レベルから抽出されたＱＬ値をカプセル化されたＱＬ値と比較することができ、２つのＱＬ値の間に何らかの不一致がある場合は、カプセル化された値は宛先境界ハイブリッドノード１５によって無視され、このような不一致を報告するために警報が同期管理システムに送出される。
【００３５】
図３で表されるトンネル１９の設定は、図４に表される状況となる場合があり、そこでは、２つの異なるソース境界ハイブリッドノード１３から由来する異なる経路を有し、２つの異なる同期分配経路に対応する、２つの異なるトンネルが共通の宛先境界ハイブリッドノード１５を有する。このような場合には２つのソース境界ハイブリッドノード１３の１つは主周波数源に対応し、他方は副周波数源に対応する。この場合はどちらのＥＳＭＣメッセージ１７が、どちらの同期信号１１、ひいてはどちらの同期供給源に対応するかが分かるように、２つのトンネルから到来するＥＳＭＣメッセージ１７を識別できることが必要となる。
【００３６】
このように本発明の一実施形態によれば、追加のＴＬＶフィールド９の１つは、２つのＥＳＭＣトンネル１９を区別できるようにするフィールドとなる。このフィールドはたとえば、ＥＳＭＣトンネルのソース境界ハイブリッドノード１３の識別情報を含む「ソースＩＤ  ＴＬＶ」ＴＬＶフィールド、またはトンネル１９の識別情報を含む「トンネルＩＤ  ＴＬＶ」フィールド、またはＥＳＭＣメッセージ１７が横断したすべてのノードの識別情報を含む「経路探索」フィールド、またはこれら３つのフィールドの組み合わせとすることができる。「ソースＩＤ  ＴＬＶ」および「トンネルＩＤ  ＴＬＶ」フィールドの場合は、前記フィールドは宛先境界ハイブリッドノード１５から削除される。
【００３７】
図５に示される別の構成は、２つの異なる同期供給源から到来し、ＳＤＨ／ＳＯＮＥＴドメイン３内に１つのノード、さらには共通の区間を有する、２つの同期分配経路に対応する。それによりＳＤＨ／ＳＯＮＥＴドメインのノードが２つの異なるソース境界ハイブリッドノード１３から到来する（物理）同期信号を受け取ったときは、２つの同期分配を受け取るＳ１として示されるＳＤＨ／ＳＯＮＥＴノードは、２つの分配の間で選択を行い、選択した信号を宛先境界ハイブリッドノード１５に送信する。この選択は一般に、たとえば優先順位リストを送出することにより同期管理システムによって送出された優先順位ルールに従って行われる。これはＳＤＨ／ＳＯＮＥＴドメインでは、同期は伝統的に同期管理システムによって制御されるからである。
【００３８】
しかし（ＱＬレベルの）品質低下の場合、または主同期信号に障害を生じた場合は、新しい同期供給源の再選択がノードＳ１内でローカルに行われ、たとえば、ＳＯＮＥＴ／ＳＤＨフレーム内に含まれた「ＱＬ−ＴＬＶ」品質レベル値を比較することによって行われる。しかしこのような場合は、宛先境界ハイブリッドノード１５は、物理同期経路と、ネットワークトンネルを通してパケットレベルで輸送される関連するＥＳＭＣ情報とを関連付けることを可能にし得る、この選択の開始または結果を知ることができない。
【００３９】
本発明の一実施形態によれば再選択の場合に、宛先境界ハイブリッドノード１５にそれに伝送される主同期信号の供給源の識別情報を知らせるために、ノードＳ１によって同期管理システムへ、そのシステムに、宛先境界ハイブリッドノード１５に送信されることになる新しい主同期信号１１に接続された物理ポートを通知するために、再選択メッセージ（たとえば警報）が送出される。その後に同期管理システムは、ノードＳ１内でそれによって選択される新しい主信号のポートについての情報と、Ｓ１によりそれによって選択される新しい同期信号に関連するソース境界ハイブリッドノードの識別情報との間の、関連付けを行うことを受け持ち、これはたとえばＳＯＮＥＴ／ＳＤＨネットワーク管理システムと協働することによって行うことができる。
【００４０】
一般にノードＳ１内での同期供給源の選択は、ハードウェア内ではなくソフトウェア内で自動的に行われる。したがって同期管理システムに警報を送出するなどの命令を追加するためにソフトウェアを更新するのは極めて容易である。
【００４１】
図６は、同期管理システム２１とやり取りされる様々な信号を示す。
【００４２】
開始時には同期管理システム２１は、たとえば物理ポート２２および２３にて受け取られる同期信号の中から同期信号を選択するプロセスをローカルに制御するための優先順位リストを含む構成メッセージ２６を、ノードＳ１に送出する。主同期信号は、機器Ｓ１のローカルクロックをロックする働きをする。このシナリオでは、ノードＳ１によって最初に選択された主同期信号は、ポート２２によって供給されると仮定する。
【００４３】
品質レベルの低下があった場合、または主信号に障害を生じた場合は、ノードＳ１は、受け取った信号の品質レベル、および優先順位リストに基づいて主信号を再選択する。図６では新しい主信号はポート２３によって供給される。次いで物理ポート２３の識別情報を含む警報メッセージ２７が同期管理システム２１に送出される。選択された物理ポート２３の識別情報に基づいて同期管理システム２１は、（確立された接続とのマッピングにより）ソースとしても知られる関連するソース境界ハイブリッドノード１３の、識別情報（ソースＩＤ）を検出する。次いでソース境界ハイブリッドノードの識別情報（ソースＩＤ）１３を含んだメッセージ２９は、宛先境界ハイブリッドノード１５に送信される。次いでそのノードは、それが接続されたＥＳＭＣトンネル１９の中から、それによって示されるソースに対応するＥＳＭＣトンネル１９を選択することができる。
【００４４】
したがってこの方法は、宛先境界ハイブリッドノードが、ＥＳＭＣメッセージに関連するトンネルを、選択された主信号の供給源に関連付けることを可能にする。
【００４５】
また、２つの物理的同期分配経路に対する上記の実施形態は、異なる（同期）供給源からの２つより多い分配経路にも拡張することができ、述べられた選択モードは任意の数の同期周波数分配経路に適用できることに留意されたい。
【００４６】
したがって本発明の実施形態は、ＳＤＨ／ＳＯＮＥＴドメイン３によって相互接続された２つのＳｙｎｃＥドメイン１の間で、追加のＴＬＶフィールド７を含むＥＳＭＣメッセージ１７を、ドメインの間のインターフェースにてそれらの追加のフィールド７によって運ばれる情報がフィルタされるのを避けながら伝送することを可能にし、かつ宛先境界ハイブリッドノード１５が、受け取ったＥＳＭＣメッセージ１７を受け取った主同期信号１１に関連付けることを可能にし、したがってこれらのメッセージを主同期物理信号と矛盾なく用いることを可能にする。
【図１】
0005466791.tif 000002
【図２】
0005466791.tif 000003
【図３】
0005466791.tif 000004
【図４】
0005466791.tif 000005
【図５】
0005466791.tif 000006
【図６】
0005466791.tif 000007